【手続補正書】
【提出日】平成20年5月2日(2008.5.2)
【手続補正１】
【補正対象書類名】明細書
【補正対象項目名】特許請求の範囲
【補正方法】変更
【補正の内容】
【特許請求の範囲】
【請求項１】
超広帯域（ＵＷＢ）特性を有するアンテナ装置であって、
一方の端部で端子に結合された第１のバランス要素と、
一方の端部で他の端子に結合された第２のバランス要素であって、前記第２のバランス要素は前記第１のバランス要素と前記第２のバランス要素との間に対称面を形成するために前記第１のバランス要素の形状を反映する形状を有し、前記バランス要素の各々が略導電性の材料から製造されることと、
前記対称面に対称軸を有し、前記第１のバランス要素と前記第２のバランス要素との間に配置された接地要素と、を備え、
前記接地要素は切り取られた領域を有し、前記アンテナ装置は前記切り取られた領域内に配置された電子回路をさらに備える、アンテナ装置。
【請求項２】
超広帯域（ＵＷＢ）特性を有するアンテナ装置であって、
一方の端部で端子に結合された第１のバランス要素と、
一方の端部で他の端子に結合された第２のバランス要素であって、前記第２のバランス要素は前記第１のバランス要素と前記第２のバランス要素との間に対称面を形成するために前記第１のバランス要素の形状を反映する形状を有し、前記バランス要素の各々が略導電性の材料から製造されることと、
前記対称面に対称軸を有し、前記第１のバランス要素と前記第２のバランス要素との間に配置された接地要素と、を備え、
前記バランス要素の各々が、複数の部分に分割され、前記複数の部分が抵抗器によって接続される、アンテナ装置。
【請求項３】
超広帯域（ＵＷＢ）特性を有するアンテナ装置であって、
一方の端部で端子に結合された第１のバランス要素と、
一方の端部で他の端子に結合された第２のバランス要素であって、前記第２のバランス要素は前記第１のバランス要素と前記第２のバランス要素との間に対称面を形成するために前記第１のバランス要素の形状を反映する形状を有し、前記バランス要素の各々が略導電性の材料から製造されることと、
前記対称面に対称軸を有し、前記第１のバランス要素と前記第２のバランス要素との間に配置された接地要素と、
前記第１のバランス要素と前記第２のバランス要素とに接続された導電性ループと、を備えるアンテナ装置。
【請求項４】
超広帯域（ＵＷＢ）特性を有するアンテナ装置であって、
一方の端部で端子に結合された第１のバランス要素と、
一方の端部で他の端子に結合された第２のバランス要素であって、前記第２のバランス要素は前記第１のバランス要素と前記第２のバランス要素との間に対称面を形成するために前記第１のバランス要素の形状を反映する形状を有し、前記バランス要素の各々が略導電性の材料から製造されることと、
前記対称面に対称軸を有し、前記第１のバランス要素と前記第２のバランス要素との間に配置された接地要素と、
前記第１のバランス要素と前記第２のバランス要素とに接続された導電性ループと、を備え、
前記導電性ループの中央部分が前記接地要素の一方の端部の後部に配置される、アンテナ装置。
【請求項５】
超広帯域（ＵＷＢ）アンテナシステムであって、
複数のアンテナであって、前記複数のアンテナの各々が、
一方の端部で端子に結合された第１のバランス要素と、
一方の端部で他の端子に結合された第２のバランス要素であって、前記第２のバランス要素が前記第１のバランス要素の形状を反映する形状を有し、前記バランス要素の各々が略導電性の材料から製造されることと、
前記第１のバランス要素と前記第２のバランス要素との間に配置された接地要素とを有することと、
前記複数のアンテナに結合され、また前記複数のアンテナに関連したビームを操作するように構成された時分割分配器／結合器回路と、を備え、
前記複数のアンテナの１つの前記接地要素は切り取られた領域を有し、前記システムが、前記１つのアンテナの切り取られた領域に配置された電子回路をさらに有する、システム。
【請求項６】
超広帯域（ＵＷＢ）アンテナシステムであって、
複数のアンテナであって、前記複数のアンテナの各々が、
一方の端部で端子に結合された第１のバランス要素と、
一方の端部で他の端子に結合された第２のバランス要素であって、前記第２のバランス要素が前記第１のバランス要素の形状を反映する形状を有し、前記バランス要素の各々が略導電性の材料から製造されることと、
前記第１のバランス要素と前記第２のバランス要素との間に配置された接地要素とを有することと、
前記複数のアンテナに結合され、また前記複数のアンテナに関連したビームを操作するように構成された時分割分配器／結合器回路と、を備え、
前記バランス要素の各々が、複数の部分に分割され、前記複数の部分が抵抗器によって接続される、システム。
【請求項７】
超広帯域（ＵＷＢ）アンテナシステムであって、
複数のアンテナであって、前記複数のアンテナの各々が、
一方の端部で端子に結合された第１のバランス要素と、
一方の端部で他の端子に結合された第２のバランス要素であって、前記第２のバランス要素が前記第１のバランス要素の形状を反映する形状を有し、前記バランス要素の各々が略導電性の材料から製造されることと、
前記第１のバランス要素と前記第２のバランス要素との間に配置された接地要素とを有することと、
前記複数のアンテナに結合され、また前記複数のアンテナに関連したビームを操作するように構成された時分割分配器／結合器回路と、を備え、
前記アンテナの１つが、前記第１のバランス要素と前記第２のバランス要素とに接続された導電性ループをさらに有する、システム。
【請求項８】
超広帯域（ＵＷＢ）アンテナシステムであって、
複数のアンテナであって、前記複数のアンテナの各々が、
一方の端部で端子に結合された第１のバランス要素と、
一方の端部で他の端子に結合された第２のバランス要素であって、前記第２のバランス要素が前記第１のバランス要素の形状を反映する形状を有し、前記バランス要素の各々が略導電性の材料から製造されることと、
前記第１のバランス要素と前記第２のバランス要素との間に配置された接地要素とを有することと、
前記複数のアンテナに結合され、また前記複数のアンテナに関連したビームを操作するように構成された時分割分配器／結合器回路と、を備え、
前記アンテナの１つが、前記第１のバランス要素と前記第２のバランス要素とに接続された導電性ループをさらに有し、前記導電性ループの中央部分が前記接地要素の一方の端部の後部に配置される、システム。
【請求項９】
超広帯域（ＵＷＢ）周波数スペクトルにわたって信号を伝送する方法であって、
送信機において入力ソース信号を受信し、
ＵＷＢアンテナを用いて複数の端子において前記ソース信号に応答して伝送信号を放射し、前記ＵＷＢアンテナは、複数のバランス要素と前記複数のバランス要素の間に配置された接地要素とを有し、前記バランス要素が端子に結合され、前記接地要素が前記送信機を収容し、
前記複数のバランス要素の１つが、前記複数のバランス要素の他の形状を反映する形状を有し、前記バランス要素の各々が、略導電性の材料から製造される方法。
【請求項１０】
超広帯域（ＵＷＢ）周波数スペクトルにわたって信号を受信する方法であって、
ＵＷＢアンテナを介して信号を受信し、前記ＵＷＢアンテナは、複数のバランス要素と、前記複数のバランス要素の間に配置された接地要素とを有し、前記バランス要素が端子に結合され、前記接地要素が送信機を収容し、そこで前記複数のバランス要素の１つが前記複数のバランス要素の他の形状を反映する形状を有し、前記バランス要素の各々が略導電性の材料から製造され、
前記受信ステップに基づき差分信号を出力することを有する方法。